(57)【要約】      （修正有）【課題】前頭部側帽体と後頭部側帽体の一部分を重ね合わせ、この状態で適宜箇所に支点軸を設け、この支点軸でもって前頭部側帽体と後頭部側帽体が前後に動く振子運動が生じ、この振子運動により、重ねあわせが一部分であったり全体が重なり合う状態になったりすることになる。これらの重なり合う状態を一時的に固定する構造と機能を備えたコンパクトにできる伸縮自在になる安全帽。【解決手段】前頭部側帽体Ａと後頭部側帽体Ｂのそれぞれの半円弧の端部の下部近くに、重ね合わせと前後の振子運動ができるように支点軸と長方形の穴目を設け、重ね合わせた状態で一時固定するための係止装備を前頭部側及Ａび後頭部側Ｂの両帽体の天井の端部または端部近くに設けることでコンパクトにでき、且つ、発光資材ハを帽体の一部分の適宜箇所に付着させてる伸縮自在になる安全帽。【選択図】図１
2015025231.tif 000002
【特許請求の範囲】
【請求項１】
必要に応じて、ヘルメット形状の１／２程度の縮小を可能としたヘルメットで使用時の操作が短時間で瞬時にヘルメット形状に戻せる構造と機能を備えているため簡単な操作でコンパクトにできる伸縮自在になる安全帽。
【請求項２】
ヘルメット形状の１／２程度に縮小させるための構造として、前頭部側と後頭部側の二面体の帽体を重ね合わせる構造とする。但し、ヘルメット形状を前後に１／２程度に切断した前頭部側帽体と後頭部側は１／２より若干長く切断した状態の帽体でコンパクトにできる伸縮自在になる安全帽。
【請求項３】
前請求項２の二面体のそれぞれの帽体の半円弧の一部分を重ね合わせ、この重ね合わせる部分の前頭部側帽体の半円弧の両横側面の下部近くに支点軸を二つ設け、次に、一方の後頭部側帽体の半円弧の両横側面の下部近くには、前頭部側帽体に設けた支点軸を嵌め込むため長さ数センチの長方形の穴目を半円弧の天井部に向かった状態で設け、この長方形の穴目に支点軸を嵌め込むことで、前頭部側帽体と後頭部帽体が振子運動作用となり、前後の両帽体が、全体に重なり合えばヘルメット形状の１／２程度に縮小され、一部分の重ね合わせにすれば、ヘルメット形状となる機能でコンパクトに伸縮自在になる安全帽。
【請求項４】
ヘルメット形状に一時固定する手段として、前頭部及び後頭部帽体の天井部の突起が接合する位置を起点とし、前頭部帽体の接合起点の先端の適宜箇所に、下方に向いた四角柱形状の突起を、又一方、後頭部帽体の接合起点の先端にも下方に向いた四角柱形状の突起をそれぞれに設ける。
但し、前頭部の突起の側面後方側鋭角状のくぼみを設け、このくぼみに挿入するスプリングを巻きつけた棒軸を後頭部の突起の側面の前後に作動する状態に取付けるための穴を設けることで前頭部帽体の半円弧の一時固定が出来るものである。
尚、補助係止装置として、後頭部帽体の半円弧の適宜箇所に前頭部帽体の四角柱形状の突起と接合するように、上方に向いた四角柱形状突起を設けた。
【請求項５】
ヘルメット形状に保持する手段は前頭部及び後頭部帽体半円弧の側面部が接合する位置を起点にして前頭部及び後頭部の左右側面の外側の短筒形状の固定係止具をそれぞれの接合起点位置に設けるものである。
短筒の中にスプリングを巻き付け、凸状形の突起を設けた軸棒が前後に動くようになり、この軸棒が、一方の前頭部の短筒に挿入することで、ヘルメット形状として保持できるものである。
【請求項６】
帽体の一部分の適宜箇所に、暗闇で発光することで、安全帽の着用している本人確認ができる発光資材を付着させた伸縮自在になる安全帽。
【発明の詳細な説明】
【技術分野】
【０００１】  本発明は、前頭部側とする帽体と後頭部側とする帽体の二つの帽体を重ね合わせることで、ヘルメットの形状になったり、ヘルメットの形状の１／２に縮小できる構造と機能を備えた伸縮自在になる安全帽。
【背景技術】
【０００２】本発明は、ヘルメットの形状の１／２程度の形状とする前頭部側帽体と後頭部側帽体の二つの帽体の重ね合わせによる構造と伸縮自在にできるように帽体の側面の適宜箇所に支点軸を用いて帽体自体を前後に振子運動する機能を備えたものである。【０００３】振子運動を一時的に停止させるための装備を帽体の半円弧の天井の端部と端部の適宜箇所に設けた構造としたものである。【０００４】帽体の縮小により、帽体に付着したヘッドバンドも縮小状態になるように、前頭部側と後頭部側に二分割させ、この二つのヘッドバンドを止め具を用いて環状のヘッドバンドとし、反転動作により縮小の状態になるような構造としたものである。
【発明の開示】
【発明が解決しようとする課題】
【０００５】前頭部側帽体と後頭部側帽体を前後の振子運動でもって重ね合わせ、重ね合わせた状態で一時固定する構造と機能を備え伸縮自在になる安全帽。【０００６】ヘッドバンドと帽体が一体化した状態で、伸縮自在にできるようにヘッドバンドも前頭部側と後頭部側に二分割させる構造と機能を備える。
【課題を解決するための手段】
【０００７】前頭部側帽体と後頭部側帽体のそれぞれの半円弧の端部の下部近くに、重ね合わせと前後の振子運動ができるように支点軸と長方形の穴目を設け、重ね合わせた状態で一次固定するための係止装備を前頭部側及び後頭部側の両帽体の天井の端部又は端部近くに設ける。【０００８】ヘッドバンドを前頭部側と後頭部側の１／２に二分割し、この二つを止め具でもって環状のヘッドバンド状にしたり、１／２の半環状にできるように止め、後頭部側のヘッドバンドには後頭部側帽体と固定するための数箇所の穴目を設け、この穴目と後頭部側帽体の下部に設けた穴目を止め具でもって固定する。
【発明の効果】
【０００９】伸縮自在にコンパクトにできることで、持ち歩きには嵩張りなく手軽で持つことができる。又、学校やオフィスの机や椅子そして各家庭の食卓の下部に備えつけが簡単にできるため、防災用安全帽として適している。
【発明を実施するための最良の形態】
【００１０】既存のヘルメット形状を１／２程度に分断し、前頭部側と後頭部側の二面体とする構成により、前頭部側帽体（Ａ）と後頭部側帽体の一部分の重ね合わせ、又は全部分の重ね合わせの状態により、伸縮自在な形状となる。すなわち、前頭部帽体と後頭部側帽体の一部分の重ね合う両帽体の左右側面の下部位置に支点軸（ａ）を通す穴目（ｅ）を設け、且つ、後頭部側帽体には、支点軸（ａ）の穴目（ｅ）と連結する長方形の穴目（ｂ）を設けることで振子動作ができる構造である。【００１１】着帽時後のヘルメットの形状の一時固定する手段として、前頭部及び後頭部帽体の天井部の突起が接合する位置を起点とし、前頭部帽体の接合起点の先端の適宜箇所に、下方に向いた四角柱形状の突起（ｃ）を、又一方、後頭部帽体の接合起点の先端にも下方に向いた四角柱の突起（ｄ）をそれぞれに設ける。但し、前頭部の突起（ｃ）の側面後方側鋭角状のくぼみ（イ）を設け、このくぼみ（イ）に挿入するスプリング（ロ）を巻きつけた軸棒（ｋ）を後頭部の突起（ｄ）の側面の前後に作動する状態に取り付けるための穴目（ｌ）を設けることで前後頭部帽体の一時固定が出来るものである、尚、補助係止装置として、後頭部帽体の半円弧の適宜箇所に前頭部帽体の四角柱形状の突起（ｃ）と接合するように、上方に向いた四角柱形状突起（ｆ）を設けた。【００１２】着帽できる状態のヘルメット形状に保持する手段は前頭部及び後頭部帽体半円弧の側面部が接合する位置を起点して前頭部及び後頭部の左右側面の外側の短筒形状の固定係止具（ｇ）（ｈ）（ｉ）（ｊ）をそれぞれの接合起点位置の設けるものである。
但し、後頭部の短筒の中にスプリング（ヘ）を巻き付け、凸状形の突起（ト）を設けた軸棒（チ）が前後に動くようになり、この軸棒（チ）が、一方の前頭部の短筒に挿入することで、ヘルメット形状として保持できるものである。前頭部及び後頭部帽体の一部分の適宜箇所に、暗闇で発光することで、安全帽の着用している本人確認ができる発光資材（ハ）を付着させた伸縮自在になる安全帽。【００１３】前頭部帽体の前方の縁額の内側の適宜箇所にヘッドバンドを係止するための係止装備具（ニ）を設ける。
【図面の簡単な説明】
【００１４】
【図１】ヘルメット形状に組み立てた安全帽の側面図
【図２】ヘルメット形状に組み立てた安全帽を内部から見た平面断面図
【図３】前頭部帽体の側面断面図
【図４】後頭部帽体の側面断面図
【図５】前頭部帽体の正面断面図
【図６】後頭部帽体の正面断面図
【図７】前頭部帽体に装着した係止装置の部分図
【図８】後頭部帽体に装着した係止装置の部分図
【符号の説明】
【００１５】（Ａ）前頭部側帽体
（Ｂ）後頭部側帽体
（ａ）支点軸
（ｂ）長方形の穴目
（ｃ）四角柱の突起
（ｄ）四角柱の突起
（ｅ）支点軸を通す穴目
（ｆ）四角柱の突起
（ｇ）短筒形状の固定係止具
（ｈ）短筒形状の固定係止具
（ｉ）短筒形状の固定係止具
（ｊ）短筒形状の固定係止具
（ｋ）軸棒
（ｌ）穴目
（イ）くぼみ
（ロ）スプリング
（ハ）発光資材
（ニ）係止装備具
（ホ）軸棒の通し穴
（ヘ）スプリング
（ト）凸状形の突起
（チ）固定用の軸棒
【図１】
2015025231.tif 000003
【図２】
2015025231.tif 000004
【図３】
2015025231.tif 000005
【図４】
2015025231.tif 000006
【図５】
2015025231.tif 000007
【図６】
2015025231.tif 000008
【図７】
2015025231.tif 000009
【図８】
2015025231.tif 000010